(57)【要約】【課題】土間コンクリートに埋設されることで足場の倒壊防止用の控え材の固定具として有用となり、足場撤去後においては、土間コンクリート上で障害となり難い足場の控え材固定具を提供する。【解決手段】足場の控え材固定具１は、屋内側控え材１０２を土間コンクリート１０３上で固定することができる。この足場の控え材固定具１は、上記土間コンクリート１０３内に一部または全部が埋まる部分であって上記土間コンクリート１０３上に螺子穴２ａを露呈させる高ナット部２と、上記土間コンクリート１０３内に全部が埋まる部分であって上記高ナット部２を地面１０７で支持させる支持部３と、を備える。【選択図】図４
2020051136.tif 000002
【特許請求の範囲】
【請求項１】
足場の倒壊防止用の控え材を土間コンクリート上で固定するための足場の控え材固定具であって、上記土間コンクリート内に一部または全部が埋まる部分であって上記土間コンクリート上に螺子穴を露呈させるナット部と、上記土間コンクリート内に全部が埋まる部分であって上記ナット部を支持する支持部と、を備えることを特徴とする足場の控え材固定具。
【請求項２】
請求項1に記載の足場の控え材固定具において、当該控え材固定具の高さを調整する高さ調整構造を備えることを特徴とする足場の控え材固定具。
【請求項３】
請求項２に記載の足場の控え材固定具において、上記高さ調整構造は、上記ナット部の側に設けられた一方側螺合部と、上記支持部の側に設けられ、上記一方側螺合部に螺合する他方側螺合部と、を備えることを特徴とする足場の控え材固定具。
【請求項４】
請求項３に記載の足場の控え材固定具において、上記一方側螺合部が上記ナット部の下端に設けられたナット側ボルト部であり、上記他方側螺合部が上記支持部の側に設けられた支持部側ナット部であることを特徴とする足場の控え材固定具。
【請求項５】
請求項１〜請求項４のいずれか1項に記載の足場の控え材固定具において、全部または一部が樹脂からなることを特徴とする足場の控え材固定具。
【請求項６】
請求項１〜請求項５のいずれか1項に記載の足場の控え材固定具において、上記支持部の下部側に張出部が設けられており、この張出部に留め具挿通用の貫通孔が形成されていることを特徴とする足場の控え材固定具。
【請求項７】
請求項１〜請求項６のいずれか1項に記載の足場の控え材固定具において、上記ナット部の土間コンクリート内に埋まるナット埋設部位または上記支持部のいずれか一方或いは両方に、当該足場の控え材固定具の土間コンクリートからの引き抜きに対する抵抗となる突出部を備えることを特徴とする足場の控え材固定具。
【請求項８】
請求項１〜請求項７のいずれか１項に記載の足場の控え材固定具を土間コンクリート内に設けた土間コンクリート構造。
【請求項９】
請求項１〜請求項７のいずれか１項に記載の足場の控え材固定具を地面上に設ける工程と、上記ナット部の上端の高さまたは上端よりも低い高さに土間コンクリートを打設する工程と、上記ナット部の上端で露呈される螺子穴に螺合するボルトを用いて足場の控え材を固定する工程と、を含むことを特徴とする足場の倒壊防止用の控え材固定方法。
【発明の詳細な説明】
【技術分野】
【０００１】
この発明は、建物の建築現場における足場の倒壊を防止するために当該足場と地面側との間に配置される控え材を地面側で固定するための足場の控え材固定具、土間コンクリート構造および足場の倒壊防止用の控え材固定方法に関する。
【背景技術】
【０００２】
狭小地では、単管等からなる足場の倒壊を防止する倒壊防止用の控え材を建物の外側に設けることは難しい。このため、建物の内側に倒壊防止用の控え材を設けることもある。そして、上記控え材を建物の内側に設ける場合は、控え材の下部側を基礎アンカーボルトに固定している。一方、上記控え材の固定に使える基礎アンカーボルトが無い或いは少ないような場合には、土間コンクリートに後付けでアンカーボルトを埋め込んで対応することがある。
【０００３】
なお、特許文献１には、足場の倒壊防止用の控え材を固定する固定具ではないが、天井材取付部品と、コンクリート上端レベル調整部材とを備え、高さ調整が可能な鉄筋コンクリート床版レベル調整部品が開示されている。
【０００４】
また、特許文献２には、同様に、上記控え材の固定具ではないが、コンクリート上端レベル出し部材を用い、打継部における目地形成を不要にできる土間コンクリートの施工方法が開示されている。
【先行技術文献】
【特許文献】
【０００５】
【特許文献１】実開平４−１３７１６０号公報
【特許文献２】特開２００７−３２１３８４号公報
【発明の概要】
【発明が解決しようとする課題】
【０００６】
しかしながら、土間コンクリートに後付けでアンカーボルトを埋め込む対応では、この後付けのアンカーボルトの他の用途が特に無く、また、足場撤去後の施工においては、上記アンカーボルトは不要な突起物となる。このため、このアンカーボルトの突出部分を切断し、切断箇所の防錆処理を行う等の作業負担が生じる。また、特許文献１および特許文献２の技術では、上記の問題を解決できない。
【０００７】
この発明は、上記の事情に鑑み、土間コンクリートに埋設されることで足場倒壊防止用の控え材の固定具として有用となり、足場撤去後においては、土間コンクリート上で障害となり難い足場控え材固定具、土間コンクリート構造および足場の倒壊防止用の控え材固定方法を提供することを目的とする。
【課題を解決するための手段】
【０００８】
この発明の足場の控え材固定具は、上記の課題を解決するために、足場の倒壊防止用の控え材を土間コンクリート上で固定するための足場の控え材固定具であって、上記土間コンクリート内に一部または全部が埋まる部分であって上記土間コンクリート上に螺子穴を露呈させるナット部と、上記土間コンクリート内に全部が埋まる部分であって上記ナット部を支持する支持部と、を備えることを特徴とする。
【０００９】
上記の構成であれば、土間コンクリートの打設によって当該足場の控え材固定具を埋設し、上記土間コンクリート上に露呈させたナット部の螺子穴にボルトを締結することができ、上記ボルトを用いて、土間コンクリートの上面に、足場の倒壊防止用の控え材を固定することができる。上記ナット部は、アンカーボルトのように土間コンクリート上から大きく突出する必要はない。このため、上記倒壊防止用の控え材を取り外した後でも、上記足場の控え材固定具における上記ナット部は作業の障害になり難い。また、上記足場の控え材固定具を残置しておいて、リフォーム時に利用することもできる。
【００１０】
当該控え材固定具の高さを調整する高さ調整構造を備えてもよい。これによれば、様々な厚さで土間コンクリートが打設される場合にも容易に対応できる。また、足場控え材固定具の高さ調整機能を利用し、土間コンクリートの打設時のレベル設定具として利用することもできる。
【００１１】
上記高さ調整構造は、上記ナット部の側に設けられた一方側螺合部と、上記支持部の側に設けられ、上記一方側螺合部に螺合する他方側螺合部と、を備えてもよい。これにより、上記一方側螺合部と上記他方側螺合部の螺合量の調整で高さ調整が行える。
【００１２】
上記一方側螺合部が上記ナット部の下端に設けられたナット側ボルト部であり、上記他方側螺合部が上記支持部の側に設けられた支持部側ナット部であってもよい。このようにナット・ボルト構造を用いることで、コスト低減が図れる。
【００１３】
全部または一部が樹脂からなっていてもよい。これにより、足場の控え材固定具の軽量化および低コスト化が図れる。
【００１４】
上記支持部の下部側に張出部が設けられており、この張出部に留め具挿通用の貫通孔が形成されていてもよい。これによれば、留め具を上記貫通孔から地面に差し込むことで、足場の控え材固定具を、地面上に動かないように設置することができる。また、地面上に敷くシート等を上記留め具で固定することもできる。
【００１５】
上記ナット部の土間コンクリート内に埋まるナット埋設部位または上記支持部のいずれか一方或いは両方に、当該足場の控え材固定具の土間コンクリートからの引き抜きに対する抵抗となる突出部を備えてもよい。これによれば、上記足場の控え材固定具の土間コンクリートからの抜けに対する抵抗力を高めることができる。
【００１６】
また、この発明の土間コンクリート構造は、上記いずれかに記載の足場の控え材固定具を土間コンクリート内に設けたことを特徴とする。係る構造であれば、足場の控え材を土間コンクリート上に固定でき、また、足場の撤去後において、上記控え材固定具は作業の障害になり難い。
【００１７】
また、この発明の足場の倒壊防止用の控え材固定方法は、上記の足場の控え材固定具を地面側に設ける工程と、上記ナット部の上端の高さまたは上端よりも低い高さに土間コンクリートを打設する工程と、上記ナット部の上端で露呈される螺子穴に螺合するボルトを用いて足場の控え材を固定する工程と、を含むことを特徴とする。かかる方法であれば、足場の控え材を土間コンクリート上に固定でき、また、足場の撤去後において、上記控え材固定具は作業の障害になり難い。
【発明の効果】
【００１８】
本発明であれば、土間コンクリートに埋設されることで足場倒壊防止用の控え材の固定具として有用となり、足場撤去後においては、土間コンクリート上で障害となり難いという効果を奏する。
【図面の簡単な説明】
【００１９】
【図１】足場および足場倒壊防止用の控え材等を示した説明図である。
【図２】土間コンクリートに固定した連結治具で屋内側控え材を固定する固定構造を示した説明図である。
【図３】図２の連結治具の台座部を示した斜視図である。
【図４】本発明の実施形態の足場の控え材固定具を示した図であって、同図（Ａ）は、当該足場の控え材固定具が土間コンクリート内に埋設された状態を示した説明図であり、同図（Ｂ）は上記足場の控え材固定具における支持部の張出部を示した平面図である。
【図５】他の実施形態の足場の控え材固定具が土間コンクリート内に埋設された状態を示した説明図である。
【図６】他の実施形態の足場の控え材固定具が土間コンクリート内に埋設された状態を示した説明図である。
【図７】他の実施形態の足場の控え材固定具が土間コンクリート内に埋設された状態を示した説明図である。
【図８】他の実施形態の足場の控え材固定具が土間コンクリート内に埋設された状態を示した説明図である。
【図９】実施形態を示す図であって、足場の控え材固定具のナット部が土間コンクリート上から少し出た状態を示した説明図である。
【発明を実施するための形態】
【００２０】
以下、この発明の実施形態を添付図面に基づいて説明する。図１に示すように、足場１００の倒壊防止のために、建物の屋外側には、屋外側控え材１０１が設けられ、建物の屋内側には、屋内側控え材１０２が設けられる。
【００２１】
そして、図２および図３に示すように、屋内側控え材１０２の下部側は、土間コンクリート１０３に固定された連結治具１０４に連結される。この連結治具１０４は、例えば、方形板状の台座部１０４ａと、連結棒部１０４ｂとからなる。上記連結棒部１０４ｂに上記屋内側控え材１０２が金具１０５によって連結される。また、上記台座部１０４ａは、その中央側に連結突起１０４ｃを備えており、この連結突起１０４ｃに上記連結棒部１０４ｂの下部側が回動可能に連結される。さらに、上記台座部１０４ａには複数のボルト挿通孔１０４ｄが形成されており、このボルト挿通孔１０４ｄに挿通されたボルト１０６によって、台座部１０４ａが土間コンクリート１０３に固定される。
【００２２】
上記土間コンクリート１０３内には、図４（Ａ）に示すように、実施形態に係る足場の控え材固定具１が埋設される。また、実施形態に係る土間コンクリート構造は、上記足場の控え材固定具１が土間コンクリート１０３内に埋設された構造である。この足場の控え材固定具１および土間コンクリート構造によって、足場の倒壊防止用の控え材、特に屋内側控え材１０２が土間コンクリート１０３に固定される。
【００２３】
上記控え材固定具１は、高ナット部２を備える。この高ナット部２は、この例では、高ナット部２の上端が土間コンクリート１０３の上面と面一になるように土間コンクリート１０３内に全部が埋まり、上記土間コンクリート１０３上に螺子穴２ａを露呈させている。上記ボルト１０６は、上記螺子穴２ａに螺合できる。そして、上記高ナット部２の下部には、一方側螺合部としてのボルト部（以下、ナット側ボルト部という。）２ｂが溶接等により固定されている。
【００２４】
また、上記控え材固定具１は、上記土間コンクリート１０３内に全部が埋まり、上記高ナット部２を地面１０７で支持させる支持部３を備える。この実施形態では、支持部３は、上記ナット側ボルト部２ｂが螺合できる他方側螺合部としての高ナット（以下、支持部側ナット部という）３ａを備える。上記支持部側ナット部３ａへのナット側ボルト部２ｂのねじ込み量を調整することで、上記高ナット部２の上端位置を調整することができる。すなわち、この控え材固定具１は、当該控え材固定具１の高さを調整する高さ調整構造を備える。
【００２５】
上記支持部側ナット部３ａの下部側には、図４（Ｂ）にも示すように、円盤状の張出部３ｂが溶接等によって固定されている。そして、この張出部３ｂには、釘等の留め具４の挿通用の貫通孔３ｃが複数形成されている。上記留め具４を貫通孔３ｃに挿通して地面１０７に差し込むことで、支持部３を地面１０７上に動かないように置くことができる。また、地面１０７上に敷いた防蟻シートや防湿シート等のシート材５を、上記留め具４を利用して固定する。
【００２６】
上記屋内側控え材１０２を土間コンクリート１０３上に固定する方法においては、上記控え材固定具１を、上記留め具４を利用して地面１０７上に動かないように設置する工程と、上記高ナット部２の上端の高さと同じ高さに土間コンクリート１０３を打設する工程と、上記高ナット部２の上端で露呈される螺子穴２ａにボルト１０６を螺合し、上記連結治具１０４を土間コンクリート１０３上に固定する工程と、この連結治具１０４に上記屋内側控え材１０２を連結する工程とを含む。
【００２７】
このように、上記控え材固定具１を用いる場合、この足場の控え材固定具１を地面１０７上に配置し、打設した土間コンクリート１０３内に埋設し、上記土間コンクリート１０３上に露呈させた高ナット部２の螺子穴２ａにボルト１０６を締結することで土間コンクリート１０３上に上記連結治具１０４を固定し、この連結治具１０４に上記屋内側控え材１０２を固定することができる。上記高ナット部２は、アンカーボルトと異なり、上記土間コンクリート１０３上から大きく突出する必要はない。このため、足場１００の撤去後に上記連結治具１０４を取り外した後でも、上記高ナット部２は作業の障害になり難い。また、足場の控え材固定具１を残置しておいて、リフォーム時に利用することもできる。
【００２８】
また、上記控え材固定具１は、当該控え材固定具の高さを調整する高さ調整構造を備える。これにより、様々な厚さで土間コンクリート１０３が打設される場合にも容易に対応できる。また、この控え材固定具１の高さ調整機能を利用し、土間コンクリート１０３の打設時のレベル設定具として利用することもできる。なお、この控え材固定具１の高さ調整構造は、上記のような螺合量調整による高さ調整構造に限らない。例えば、上記張出部３ｂと同様の配置で貫通孔３ｃを備える板部材を高さ調整部材として用い、この高さ調整部材を上記張出部３ｂの下に１枚或いは複数枚積層することで、足場の控え材固定具１の高ナット部２の上端高さを高くする調整が行える。
【００２９】
上記張出部３ｂは、当該控え材固定具１の土間コンクリート１０３からの引き抜きに対する抵抗となる突出部としても機能する。これにより、上記足場の控え材固定具１の土間コンクリート１０３からの抜けに対する抵抗力を高めることができる。
【００３０】
図５に、他の実施形態として、控え材固定具１Ａおよびこれを有する土間コンクリート構造を示す。この控え材固定具１Ａにおいては、上記支持部側ナット部３ａに、当該控え材固定具１の土間コンクリート１０３からの引き抜きに対する抵抗となる例えば円盤状の突出部３１が、溶接等により設けられている。なお、図示していないが、上記高ナット部２の下部側（土間コンクリート埋設部位）に鍔部（ワッシャ部）を上記突出部として備えることもできる。
【００３１】
また、上記足場の控え材固定具１、１Ａにおいて、支持部３を樹脂により作製することも可能である。さらには、高ナット部２も樹脂を用いて作製できる。これにより、足場の控え材固定具１、１Ａの軽量化および低コスト化が図れる。
【００３２】
また、図６に、他の実施形態として、足場の控え材固定具１Ｂおよびこれを有する土間コンクリート構造を示す。この控え材固定具１Ｂは、上記張出部３ｂを有しない。この控え材固定具１Ｂは、上記支持部側ナット部３ａの下部側が先鋭な楔形状を有しており、例えば、支持部側ナット部３ａをハンマーで地面１０７に打ち込んで立設させることができる。なお、この控え材固定具１Ｂは、上記突出部３１を備えてもよい。また、この控え材固定具１Ｂの支持部側ナット部３ａが樹脂からなっていてもよい。
【００３３】
また、図７に、他の実施形態として、足場の控え材固定具１Ｃおよびこれを有する土間コンクリート構造を示す。この控え材固定具１Ｃは、支持部３における支持部側ナット部３ａの上部側が上記高ナット部２を兼ねた構造を有する。なお、この控え材固定具１Ｃは、上記支持部側ナット部３ａの下部側が先鋭な楔形状を有することに限らず、上記控え材固定具１と同様、張出部３ｂを備える構造としてもよい。また、この控え材固定具１Ｃは、上記突出部３１を備えてもよい。また、この控え材固定具１Ｃの支持部側ナット部３ａが樹脂からなっていてもよい。
【００３４】
また、図８に、他の実施形態として、足場の控え材固定具１Ｄおよびこれを有する土間コンクリート構造を示す。この控え材固定具１Ｄは、高ナット部２の下部に支持部３として楔部を有する。また、支持部３に突出部３１を備える。この控え材固定具１Ｄも、ハンマー等による地面１０７への打ち込み量で高さ調整をすることができる。
【００３５】
また、図９に示すように、高ナット部２の全部が土間コンクリート１０３に埋まらず、高ナット部２の上端部が、土間コンクリート１０３の上面から出ていてもよい。この場合、高ナット部２の上端部が周囲側に下り傾斜する形状、或いは、ドーム状の形状を有することで、作業者が高ナット部２の上端部で躓くのを軽減することができる。或いは、ドーム形状等を形成するような別部材を高ナット部２の上端周囲部に後から嵌め込んでもよい。また、上記台座部１０４ａの底面であってボルト挿通孔１０４ｄの箇所に座繰りを形成しておき、この座繰りに、土間コンクリート１０３の上端から出る高ナット部２の上端部を収容するようにすれば、上記台座部１０４ａの土間コンクリート１０３上でのガタツキを軽減することができる。
【００３６】
なお、外壁において、螺子穴を屋外側に露呈させるナット部と外壁側で上記ナット部を支持する支持部とを備える固定具を設け、この固定具に足場を連結させることができる。この固定具は、例えば、上記張出部３ｂに相当する張出部を備えており、外壁のラス網にモルタルを塗布する前に、上記張出部の貫通孔から釘等を外壁側に打ち込み、上記ラス網を固定する、そして、モルタルの塗布において、上記ナット部の螺子穴をモルタルから露呈させる。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３８】
１        ：足場の控え材固定具
１Ａ      ：足場の控え材固定具
１Ｂ      ：足場の控え材固定具
１Ｃ      ：足場の控え材固定具
１Ｄ      ：足場の控え材固定具
２        ：高ナット部
２ａ      ：螺子穴
２ｂ      ：ナット側ボルト部
３        ：支持部
３ａ      ：支持部側ナット部
３ｂ      ：張出部
３ｃ      ：貫通孔
４        ：留め具
５        ：シート材
３１      ：突出部
１００    ：足場
１０１    ：屋外側控え材
１０２    ：屋内側控え材
１０３    ：土間コンクリート
１０４    ：連結治具
１０４ａ  ：台座部
１０４ｂ  ：連結棒部
１０４ｃ  ：連結突起
１０４ｄ  ：ボルト挿通孔
１０５    ：金具
１０６    ：ボルト
１０７    ：地面
【図１】
2020051136.tif 000003
【図２】
2020051136.tif 000004
【図３】
2020051136.tif 000005
【図４】
2020051136.tif 000006
【図５】
2020051136.tif 000007
【図６】
2020051136.tif 000008
【図７】
2020051136.tif 000009
【図８】
2020051136.tif 000010
【図９】
2020051136.tif 000011